(57)【要約】【課題】セキュリティプレートの取り付け、取り外しを容易になし得る電気装置用連結キャビネットラックの提供。【解決手段】隙間を存して横並びに並設され、隣接する側面に開口部２を有する複数のキャビネットラック１と、隣接するキャビネットラック間の少なくとも下端部に前後方向へ水平に延在させて介装されるプレートガイド３と、隣接するキャビネットラックの側面の開口部を閉鎖可能な大きさに設けられ、隣接するキャビネットラック間に抜き差し可能に挿入されるセキュリティプレート６と、隣接するキャビネットラックの内側からセキュリティプレートに互い違いに挿入され、セキュリティプレートの抜き出しをロックする複数のロック具１１とを備える。【選択図】　　　　図１
2004014793.tif 000002
【特許請求の範囲】
【請求項１】
隙間を存して横並びに並設され、隣接する側面に開口部を有する複数のキャビネットラックと、隣接するキャビネットラック間の少なくとも下端部に前後方向へ水平に延在させて介装されるプレートガイドと、隣接するキャビネットラックの側面の開口部を閉鎖可能な大きさに設けられ、隣接するキャビネットラック間に抜き差し可能に挿入されるセキュリティプレートと、隣接するキャビネットラックの内側からセキュリティプレートに互い違いに挿入され、セキュリティプレートの抜き出しをロックする複数のロック具とを備えることを特徴とする電気装置用連結キャビネットラック。
【請求項２】
前記セキュリティプレートが、指掛け孔を有していることを特徴とする電気装置用連結キャビネットラック。
【請求項３】
前記プレートガイド、セキュリティプレート及びロック具が、絶縁材又は導電材からなることを特徴とする請求項１又は２記載の電気装置用連結キャビネットラック。
【請求項４】
前記プレートガイド及びロック具が、絶縁材からなり、かつ、セキュリティプレートが、絶縁被覆を施した導電材からなることを特徴とする請求項１又は２記載の電気装置用連結キャビネットラック。
【発明の詳細な説明】
【０００１】
【発明の属する技術分野】
本発明は、電気装置用連結キャビネットラックに関し、特に、ＬＡＮやＷＡＮ等のデータ通信ネットワークのデータ・センター等で使用される電気装置用連結キャビネットラックに関する。
【０００２】
【従来の技術】
主としてインターネット向けのサービスを提供するサーバ等を、ユーザーから預かって収容するデータ・センターでは、電気装置用連結キャビネットラックが使用されている。
従来、電気装置用連結キャビネットラックは、サーバ等として機能するコンピュータ、電源等を搭載した複数のキャビネットラックを、互いに当接して横並びに並設すると共に、隣接するキャビネットラック相互の接続を可能にするための側面の開口部を、必要に応じて閉鎖してセキュリティを確保するセキュリティプレートが、それぞれのキャビネットラックの内側から取り外し可能に設けて構成されている。
【０００３】
【発明が解決しようとする課題】
しかし、従来の電気装置用連結キャビネットラックでは、側面の開口部を閉鎖するセキュリティプレートがキャビネットラックの内側から取り外し可能に設けられているため、ユーザーの変更に伴なうセキュリティプレートの取り付け、取り外しが面倒となる不具合がある。
【０００４】
そこで、本発明は、セキュリティプレートの取り付け、取り外しを容易になし得る電気装置用連結キャビネットラックを提供することを主課題とする。
【０００５】
【課題を解決するための手段】
前記課題を解決するため、本発明の電気装置用連結キャビネットラックは、隙間を存して横並びに並設され、隣接する側面に開口部を有する複数のキャビネットラックと、隣接するキャビネットラック間の少なくとも下端部に前後方向へ水平に延在させて介装されるプレートガイドと、隣接するキャビネットラックの側面の開口部を閉鎖可能な大きさに設けられ、隣接するキャビネットラック間に抜き差し可能に挿入されるセキュリティプレートと、隣接するキャビネットラックの内側からセキュリティプレートに互い違いに挿入され、セキュリティプレートの抜き出しをロックする複数のロック具とを備えることを特徴とする。
【０００６】
前記セキュリティプレートは、指掛け孔を有していることが好ましい。
前記プレートガイド、セキュリティプレート及びロック具は、絶縁材又は導電材からなることが好ましい。
又、前記プレートガイド及びロック具は、絶縁材からなり、かつ、セキュリティプレートは、絶縁被覆を施した導電材からなってもよい。
【０００７】
【作用】
本発明の電気装置用連結キャビネットラックにおいては、隣接するキャビネットラックの側面の開口部が、両者間に介在する１枚のセキュリティプレートによって閉鎖可能となり、かつ、隣接するキャビネットラックのロック具をそれぞれの内側からアンロックすることによってセキュリティプレートがプレートガイドに案内されて抜き差し可能となる。
【０００８】
一方、セキュリティプレートが、指掛け孔を有していることにより、セキュリティプレートと指の係合が可能となる。
【０００９】
【発明の実施の形態】
以下、本発明の実施の形態について図面を参照して説明する。
図１、図２はそれぞれ本発明に係る電気装置用連結キャビネットラックの実施の形態の一例を示す要部の一部を破断した正面図、図１におけるＩＩ−ＩＩ線や矢視図である。
【００１０】
図中１は適宜の隙間（例えば、５ｍｍ）を存して横並びに複数並設された金属製又は合成樹脂製のキャビネットラックで、このキャビネットラック１は、サーバ等として機能するコンピュータ、電源等の電子、電気機器（図示せず）を一段又は二段以上搭載する縦長箱形に形成されていると共に、隣接するものの側面には、相互の接続を可能とするための方形の２つの開口部２が設けられている。
隣接するキャビネットラック１間の上端部、中間部及び下端部には、塩化ビニル等の絶縁材からなり、隣接するキャビネットラック１間の隙間と同等の厚さ、キャビネットラック１の奥行寸法と同等の長さ、及び適宜の幅（例えば、１００ｍｍ）を有する矩形板状のプレートガイド３が、前後方向（図２においては左右方向）へ水平に延在させて嵌挿されていると共に、プレートガイド３と同様に絶縁材からなり、プレートガイド３の両端部に設けた透孔４（図３参照）及びこれらの透孔４と対応させて隣接するキャビネットラック１の側壁に設けた透孔（図示せず）に挿入されるボルト・ナットからなる複数の締結具５によって隣接するキャビネットラック１と一体的に固定されている。
各プレートガイド３は、上下で対向する側縁の面を互いに平行なガイド面とし、後述するセキュリティプレートの抜き差しを案内するものである。
【００１１】
上下で対向する上端部と中間部のプレートガイド３間、及び中間部と下端部のプレートガイド３間には、プレートガイド３と同様に絶縁材からなり、上下で対向するプレートガイド３間において隣接するキャビネットラック１の側面の各開口部２を閉鎖可能な大きさに設けられると共に、プレートガイド３より適宜に薄い厚さ（例えば、３ｍｍ）のセキュリティプレート６が、プレートガイド３に案内されて抜き差し可能に挿入されており、それぞれのセキュリティプレート６には、図４に示すように、その抜き差しの際に、指との係合を可能とする複数の指掛け孔７が設けられていると共に、後述するロックビスの先端の係合突起が挿入されるロック孔８が四隅に設けられている。
一方、キャビネットラック１の各開口部２の四隅部近傍の側壁には、図１、図２に示すように、透孔９がセキュリティプレート６のロック孔８と対応させて設けられていると共に、ナット１０がねじ孔を透孔９の連通させて内側に固着されている。
そして、各セキュリティプレート６は、図１、図５、図６に示すように、プレートガイド３と同様に絶縁材からなり、ねじ部１１ａの先端に、ねじ部１１ａより小径の係合突起１１ｂを連設したロックビス１１が、隣接するキャビネットラック１のナット１０から互い違いに螺入され、係合突起１１ｂをロック孔８に挿入することにより、抜き出しをロックされると共に、ねじ部１１ａの端面を側面に押圧することにより、振動を防止されるものである。
図５において１１ｃはドライバー等の工具を係合するための係合溝である。
【００１２】
上述した電気装置用連結キャビネットラックにおいて、隣接するキャビネットラック１を単一のユーザーが接続して使用する場合には、それぞれのキャビネットラック１の内側から互い違いに螺入したロックビス１１を緩めてその係合突起１１ｂとセキュリティプレート６のロック孔８との係合を解除し、指掛け孔７に指を係合させてセキュリティプレート６をプレートガイド３のガイド面に沿わせて前方へ押し出し、かつ、セキュリティプレート６をキャビネットラック１間の隙間から抜き出す。
一方、隣接するキャビネットラック１を異なるユーザーが使用する場合には、隣接するキャビネットラック１間の隙間にセキュリティプレート６をプレートガイド３のガイド面に沿わせて差し込み、それぞれのキャビネットラック１の内側から互い違いに螺入したロックビス１１をねじ込んで係合突起１１ｂをセキュリティプレート６のロック孔８に係合させ、かつ、ねじ部１１ａの端面をセキュリティプレート６の側面に押圧する。
【００１３】
図７、図８はプレートガイドの他の例を示す正面図、一部を省略した平面図である。
このプレートガイド１２は、前述したものが、隣接するキャビネットラック１間に嵌挿される矩形状を呈しているのに対し、塩化ビニル等の絶縁材からなり、隣接するキャビネットラック１の側面の開口部２間に掛け渡し可能な幅、開口部２の奥行寸法と同等の長さを有する矩形板状に設けられていると共に、片面中央部に長手方向へ伸びるガイド溝１３を設けられているものであって、ガイド溝１３を上下対向させて各開口部２の上、下端において隣接するキャビネットラック１の側壁に跨がらせ、かつ、両側の複数の透孔１４からビス（図示せず）を隣接するキャビネットラック１の側壁に螺入してそれぞれのキャビネットラック１に取り付け固定され、前述したプレートガイド３と同様に、セキュリティプレート６の抜き差しを案内するものであり、図示はしないが、ガイド溝１３の底面及び両側面には、セキュリティプレート１を押圧して振動を防止する板ばね等の付勢手段が設けられている。
【００１４】
なお、上述した実施の形態においては、プレートガイド３，１２を隣接するキャビネットラック１間の上端部、中間部及び下端部の３個所に介装する場合について説明したが、これに限定されるものではなく、プレートガイド３，１２が、隣接するキャビネットラック１間の少なくとも下端部に介装されておればよい。又、プレートガイド３，１２のキャビネットラック１への固定は、連結具５、ビスに限らず、プレートガイド３，１２を隣接するキャビネットラック１の少なくとも一方に固定する接着剤、その他の固定手段であってもよい。
更に、セキュリティプレート６の抜き差しをロックするロック具は、ロックビス１１に限らず、セキュリティプレート６に設けたロック用のねじ孔に、隣接するキャビネットラック１に設けた透孔を通して互い違いに螺入されるロックボルト、その他のロック具であってもよい。
更に又、セキュリティプレート６は、指掛け孔７の無いものであってもよい。又、プレートガイド３，１２、セキュリティプレート６及びロック具としてのロックビス１１は、絶縁材によって形成されたものに限らず、隣接するキャビネットラック１相互の電磁的なシールドを図る場合、鋼等の導電材によって形成されたものであってもよい。
更に、プレートガイド３，１２及びロック具としてのロックビス１１を絶縁材によって形成し、かつ、セキュリティプレートを絶縁被覆を施された導電材によって形成し、隣接するキャビネットラック１相互の絶縁と電磁的なシールドの両方を図るようにしてもよい。
【００１５】
【発明の効果】
以上説明したように、本発明の電気装置用キャビネットラックによれば、隣接するキャビネットラックの側面の開口部が両者間に介在する１枚のセキュリティプレートによって閉鎖可能となるので、従来に比べて、セキュリティプレートの枚数を半減することができる。
又、隣接するキャビネットラックのロック具をそれぞれの内側からアンロックすることによってセキュリティプレートがプレートガイドに案内されて抜き差し可能となるので、セキュリティプレートの取り付け、取り外しを、セキュリティを確保しつつ容易に行うことができる。
【００１６】
一方、セキュリティプレートが、指掛け孔を有していることにより、セキュリティプレートと指との係合が可能となるので、セキュリティプレートのロック時の移動を容易に行うことができる。
プレートガイド、セキュリティプレート及びロック具が絶縁材又は導電材からなることにより、隣接するキャビネットラック相互の絶縁又は電磁的な遮蔽を図ることができる。
又、プレートガイド及びロック具が、絶縁材からなり、かつ、セキュリティプレートが絶縁被覆を施された導電材からなることにより、隣接するキャビネットラック相互の絶縁と電磁的な遮蔽の両方を図ることができる。
【図面の簡単な説明】
【図１】本発明に係る電気装置用連結キャビネットラックの実施の形態の一例を示す要部の一部を破断した正面図である。
【図２】図１におけるＩＩ−ＩＩ線矢視図である。
【図３】図１の電気装置用連結キャビネットラックのプレートガイドの側面図である。
【図４】図１の電気装置用連結キャビネットラックのセキュリティプレートの側面図である。
【図５】図１の電気装置用連結キャビネットラックのロックビスの正面図である。
【図６】図５のロックビスの左側面図である。
【図７】本発明に係る電気装置用連結キャビネットラックにおけるプレートガイドの他の例を示す正面図である。
【図８】図７のプレートガイドの一部を省略した平面図である。
【符号の説明】
１　キャビネットラック
２　開口部
３　プレートガイド
５　締結具
６　セキュリティプレート
７　指掛け孔
８　ロック孔
１１　ロックビス（ロック具）
１１ａ　ねじ部
１１ｂ　係合突起
１２　プレートガイド
【図１】
2004014793.tif 000003
【図２】
2004014793.tif 000004
【図３】
2004014793.tif 000005
【図４】
2004014793.tif 000006
【図５】
2004014793.tif 000007
【図６】
2004014793.tif 000008
【図７】
2004014793.tif 000009
【図８】
2004014793.tif 000010